(57)【要約】【課題】駐車支援装置の障害物の誤検知を防止する。【解決手段】最短距離算出部５は、距離センサ１により測定された距離情報、傾斜センサ３により測定された傾斜角度情報、車両ＥＣＵ４に記憶されている車両形状情報ならびに距離センサ１の設置位置およびセンシング方向を表す設置位置情報に基づいて、車両から障害物までの最短距離情報を算出する。閾値変更部７は、傾斜角度情報に応じて閾値情報を変更する。障害物判定部６は、最短距離算出部５が算出した最短距離情報と閾値変更部７が変更した閾値情報を比較して、障害物１１が車両に衝突するか判定する。【選択図】図１
2015209183.tif 000002
【特許請求の範囲】
【請求項１】
距離センサにより測定された車両後方の障害物までの距離情報、傾斜センサにより測定された前記車両の傾斜角度情報、予め記憶されている前記車両の形状を表す車両形状情報ならびに前記車両に対する前記距離センサの設置位置およびセンシング方向を表す設置位置情報を取得し、これらに基づいて前記車両から前記障害物までの最短距離情報を算出する最短距離算出部と、
前記最短距離算出部が算出した最短距離情報と予め設定された閾値情報を比較して前記障害物が前記車両に衝突するか判定する障害物判定部と、
前記傾斜角度情報に応じて前記閾値情報を変更する閾値変更部と、
前記障害物判定部の判定結果に基づいて警報の出力を制御する出力制御部とを備える駐車支援装置。
【請求項２】
前記距離センサは、前記車両の高さ方向に複数個設置されており、
前記最短距離算出部は、前記傾斜角度情報、前記車両形状情報、および前記複数個の距離センサそれぞれの設置位置情報に基づいて、前記複数個の距離センサの中から前記障害物に一番近い距離センサを選択し、当該選択した距離センサにより測定された距離情報を用いて前記車両から前記障害物までの最短距離情報を算出することを特徴とする請求項１記載の駐車支援装置。
【請求項３】
前記距離センサは、前記センシング方向を前記車両の高さ方向に変更可能に設置され、
前記最短距離算出部は、前記傾斜角度情報、前記車両形状情報、および前記距離センサの設置位置情報に基づいて、前記距離センサにより複数のセンシング方向で測定された複数の距離情報の中から前記障害物の前記車両に一番近い部分を測定した距離情報を選択し、当該選択した距離情報を用いて前記車両から前記障害物までの最短距離情報を算出することを特徴とする請求項１記載の駐車支援装置。
【請求項４】
前記距離センサにより測定された複数の距離情報、前記傾斜センサにより測定された傾斜角度情報、前記車両形状情報、および前記距離センサの設置位置情報に基づいて、前記障害物の傾斜状態を判定する障害物傾斜判定部を備え、
前記閾値変更部は、前記障害物傾斜判定部が判定した前記障害物の傾斜状態に応じて前記閾値情報を補正することを特徴とする請求項２または請求項３記載の駐車支援装置。
【発明の詳細な説明】
【技術分野】
【０００１】
この発明は、車両を駐車する際に後方に存在する障害物を検知する駐車支援装置に関するものである。
【背景技術】
【０００２】
車両と障害物の衝突を運転者に報知するために、カーナビゲーション画面に衝突箇所を表示したり警報音を鳴らしたりする方法がある。車両と障害物の衝突を検知するために、車両の傾斜情報、車両と障害物の距離情報などを使用して車両に衝突する可能性がある障害物を検知する方法が提案されている。例えば特許文献１では、距離測定装置が測定した距離情報を使用して路面の傾斜あるいは障害物の高さを算出し、車両の走行可否を判断していた。
【先行技術文献】
【特許文献】
【０００３】
【特許文献１】特開２０００−１８１５４１号公報
【発明の概要】
【発明が解決しようとする課題】
【０００４】
車両と障害物の距離情報を測定する距離センサ（例えば、超音波センサ）は、車両が水平な場合は障害物までの距離情報を正確に測定できるが、車両または障害物が傾斜している場合は、車両外形によっては障害物までの最短距離情報が距離センサの測定値より短くなり、障害物を誤検知するという課題があった。このように、車両または障害物が傾斜している場合は、車両の形状を考慮しなければ、障害物との距離情報を正確に測定することは難しく、障害物を誤検知して誤警報を発することがあった。
【０００５】
この発明は、上記のような課題を解決するためになされたもので、駐車支援装置の障害物の誤検知を防止することを目的とする。
【課題を解決するための手段】
【０００６】
この発明に係る駐車支援装置は、距離センサにより測定された車両後方の障害物までの距離情報、傾斜センサにより測定された車両の傾斜角度情報、予め記憶されている車両の形状を表す車両形状情報ならびに車両に対する距離センサの設置位置およびセンシング方向を表す設置位置情報を取得し、これらに基づいて車両から障害物までの最短距離情報を算出する最短距離算出部と、最短距離算出部が算出した最短距離情報と予め設定された閾値情報を比較して障害物が車両に衝突するか判定する障害物判定部と、傾斜角度情報に応じて閾値情報を変更する閾値変更部と、障害物判定部の判定結果に基づいて警報の出力を制御する出力制御部とを備えるものである。
【発明の効果】
【０００７】
この発明によれば、距離センサにより測定された距離情報、傾斜センサにより測定された傾斜角度情報、車両の形状を表す車両形状情報、ならびに車両に対する距離センサの設置位置およびセンシング方向を表す設置位置情報に基づいて最短距離情報を算出し、最短距離情報と閾値情報を比較して障害物が車両に衝突するか判定するようにしたので、車両の形状情報および傾斜角度情報を考慮して障害物までの距離情報を正確に算出できる。また、障害物判定用の閾値情報を、傾斜角度情報に応じて変更するようにしたので、車両が傾斜しても障害物の衝突可能性を正確に判定できる。従って、駐車支援装置の障害物の誤検知を防止できる。
【図面の簡単な説明】
【０００８】
【図１】この発明の実施の形態１に係る駐車支援装置の構成を示すブロック図である。
【図２】実施の形態１に係る駐車支援装置を搭載した車両の側面図であり、車両形状情報を説明する。
【図３】実施の形態１に係る駐車支援装置を搭載した車両の側面図であり、車両が傾斜した状態を示す。
【図４】この発明の実施の形態２に係る駐車支援装置の構成を示すブロック図である。
【図５】実施の形態２に係る駐車支援装置を搭載した車両の側面図であり、車両が傾斜した状態を示す。
【図６】実施の形態２に係る駐車支援装置の、距離センサと最短距離情報との対応関係を示す表である。
【図７】この発明の実施の形態３に係る駐車支援装置の構成を示すブロック図である。
【図８】実施の形態３に係る駐車支援装置を搭載した車両の側面図であり、車両が傾斜した情報を示す。
【発明を実施するための形態】
【０００９】
以下、この発明をより詳細に説明するために、この発明を実施するための形態について、添付の図面に従って説明する。
実施の形態１．
図１は、実施の形態１に係る駐車支援装置の構成を示すブロック図である。駐車支援装置は車両に搭載され、距離センサ１と、カーナビゲーションユニット２と、傾斜センサ３と、車両ＥＣＵ（Ｅｌｅｃｔｒｏｎｉｃ  Ｃｏｎｔｒｏｌ  Ｕｎｉｔ）４と、出力部９とを備える。距離センサ１は、車両の後方をセンシングして障害物までの距離情報を測定する。この距離センサ１としては、車両と障害物との距離情報を測定可能な機器であればよく、例えば超音波センサを用いる。傾斜センサ３は、車両の傾斜を測定可能な機器であればよく、例えば加速度センサを用いる。加速度センサは重力を検出でき、加速度センサを傾けると出力が変動するため、傾斜角度情報を検出することが可能である。
【００１０】
カーナビゲーションユニット２は、距離センサ１が測定した距離情報と傾斜センサ３が測定した傾斜角度情報と車両ＥＣＵ４が記憶している車両形状情報と距離センサ１の設置位置情報とに基づいて車両から障害物までの最短距離を算出する最短距離算出部５と、最短距離算出部５が算出した最短距離情報を閾値情報と比較して障害物が車両に衝突する可能性があるか判定する障害物判定部６と、傾斜センサ３が測定した傾斜角度情報に応じて障害物判定部６の閾値情報を変更する閾値変更部７と、障害物判定部６の判定結果に基づいて出力部９から警報を出力させる出力制御部８とを備える。
【００１１】
このカーナビゲーションユニット２は、ＣＰＵ（Ｃｅｎｔｒａｌ  Ｐｒｏｃｅｓｓｉｎｇ  Ｕｎｉｔ）等で構成されており、このＣＰＵがプログラムを実行することによって、最短距離算出部５、障害物判定部６、閾値変更部７および出力制御部８としての機能を実現する。
車両ＥＣＵ４は、半導体メモリ等で構成された車両形状記憶部４ａと設置位置情報記憶部４ｂとを備えている。
【００１２】
出力部９は、車両に搭載されたスピーカ等で構成される。この出力部９は、障害物判定部６が車両に衝突する可能性がある障害物を検知した場合に出力制御部８の制御に従って警報を出力し、自車両と障害物との衝突可能性を運転者に報知する。
【００１３】
図２および図３は、駐車支援装置を搭載した車両１０の側面図である。図２は車両１０が水平な状態、図３は車両１０が傾斜した状態を示す。距離センサ１は、車両１０の後部に設置されて、車両１０の後方に存在する障害物１１までの距離情報を測定する。ここで、距離センサ１から障害物１１までの距離情報をｘとする。Ｒは、車両１０の後部のうち、最も外側に突出した最外形部である。ｙは、高さ方向における最外形部Ｒから距離センサ１までの距離情報である。ｚは、高さ方向における最外形部Ｒから車両１０の屋根までの距離情報である。θは、傾斜センサ３が測定する車両１０の傾斜角度情報である。
【００１４】
この例では距離センサ１と最外形部Ｒとが略同一平面上にあるため、図２のように車両１０が水平の場合、距離センサ１から障害物１１までの距離情報ｘと、最外形部Ｒから障害物１１までの距離情報ｘＲとが略等しい。そして、距離情報ｘと距離情報ｘＲが、車両１０と障害物１１との最短距離情報になる。
【００１５】
他方、車両１０が傾斜すると距離センサ１のセンシング方向も傾くため、最外形部Ｒから障害物１１までの距離情報ｘＲに比べて距離センサ１が測定する距離情報ｘが長くなり、距離センサ１は障害物１１までの距離情報を正確に測定できない。
さらに車両１０が傾斜して図３の状態になると、車両１０の後部のうち、屋根の端部（以下、傾斜時最外形部Ｒ１と呼ぶ）が最も外側に突出し、傾斜時最外形部Ｒ１と障害物１１との間が最短距離情報になる。
【００１６】
ここで、車両１０を傾けていったときに車両後部の最も外側に突出した部分が最外形部Ｒから傾斜時最外形部Ｒ１に入れ替わる傾斜角度情報を傾斜角度限界値情報αと呼ぶ。この傾斜角度限界値情報αは、車両１０の形状情報等から事前に求まる。従って、車両１０と障害物１１との最短距離情報ｘｍｉｎは、車両１０の傾斜角度情報θと傾斜角度限界値情報αとの関係により、式（１）で算出できる。θ＞αのとき傾斜時最外形部Ｒ１と障害物１１との距離情報が最短になり、０≦θ≦αのとき最外形部Ｒと障害物１１との距離情報ｘＲが最短になる。
【００１７】
θ＞αのとき、    ｘｍｉｎ＝ｘｃｏｓθ−ｚｓｉｎθ
０≦θ≦αのとき、ｘｍｉｎ＝ｘｃｏｓθ−ｙｓｉｎθ
・・・（１）
【００１８】
ここで、車両ＥＣＵ４の車両形状記憶部４ａが記憶する車両形状情報として、上記に説明した傾斜角度限界値情報α、最外形部Ｒの位置、車両１０の車高、前後方向の長さ、左右方向の幅などの情報がある。また、車両ＥＣＵ４の設置位置情報記憶部４ｂが記憶する距離センサ１の設置位置情報として、最外形部Ｒから距離センサ１までの距離情報ｙ、最外形部Ｒから屋根までの距離情報ｚ、および距離センサ１のセンシング方向などの情報がある。
【００１９】
最短距離算出部５は、距離センサ１から距離情報ｘを取得し、傾斜センサ３から傾斜角度情報θを取得し、車両ＥＣＵ４から車両形状情報と距離センサ１の設置位置情報を取得して、上式（１）により車両１０と障害物１１の最短距離情報ｘｍｉｎを算出する。
【００２０】
閾値変更部７は、傾斜角度情報θに応じた複数の閾値情報を有する。傾斜角度情報θが大きいほど閾値情報も大きい値とし、例えば、傾斜角度情報θが０度〜３０度未満のときの閾値情報を１ｍ、傾斜角度情報θが３０度以上のときの閾値情報を０．５ｍとする。閾値情報はこれらの値に限定されるものではなく、また３段階以上あってもよい。これらの閾値情報は、車両形状情報等から事前に決定して閾値変更部７に設定しておく。閾値変更部７は、傾斜センサ３から傾斜角度情報θを取得して、その傾斜角度情報θに応じた閾値情報を選択して障害物判定部６に通知する。
【００２１】
障害物判定部６は、閾値変更部７から通知された閾値情報と最短距離算出部５が算出した最短距離情報とを比較し、最短距離情報が閾値情報以下の場合に障害物１１を車両１０に衝突する可能性がある障害物として検知して、出力制御部８に通知する。出力制御部８は、障害物判定部６から通知を受けると、出力部９から警報を出力させる。傾斜角度情報θに応じて閾値情報を変更するため、車両１０が傾斜して障害物１１までの距離情報が短くなった場合でも、衝突可能性がある障害物を正確に検知することが可能になる。また、傾斜角度情報θと距離センサ１が測定した距離情報ｘとに基づいて車両１０と障害物１１との最短距離情報ｘｍｉｎを求め、最短距離情報ｘｍｉｎと閾値情報とを比較するため、車両後部の最も外側に突出した部分が最外形部Ｒから傾斜時最外形部Ｒ１に変わっても、衝突可能性がある障害物を正確に検知することが可能になる。
【００２２】
なお、図２および図３では障害物１１に対して車両１０が傾斜している場合を説明したが、反対に車両１０に対して障害物１１が傾斜している場合にも同様の方法を適用可能である。
【００２３】
以上より、実施の形態１によれば、駐車支援装置は、距離センサ１が測定した車両１０の後方の障害物１１までの距離情報ｘ、傾斜センサ３が測定した車両１０の傾斜角度情報θ、ならびに車両ＥＣＵ４が記憶している車両形状情報および設置位置情報に基づいて車両１０から障害物１１までの最短距離情報ｘｍｉｎを算出する最短距離算出部５と、最短距離算出部５が算出した最短距離情報ｘｍｉｎと閾値情報を比較して障害物１１が車両１０に衝突するか判定する障害物判定部６と、障害物判定部の判定結果に基づいて警報の出力を制御する出力制御部８と、傾斜センサ３が測定した傾斜角度情報θに応じて閾値情報を変更する閾値変更部７とを備える構成にした。これにより、車両１０の形状情報および傾斜角度情報を考慮して障害物１１までの距離情報を正確に算出できると共に、傾斜角度情報θに応じて障害物判定用の閾値情報を変更できる。よって、障害物の誤検知を防止できる。
【００２４】
実施の形態２．
図４は、実施の形態２に係る駐車支援装置の構成を示すブロック図である。図５は、実施の形態２に係る駐車支援装置を搭載した車両１０の側面図である。図４および図５において、図１〜図３と同一または相当の部分については同一の符号を付し説明を省略する。
【００２５】
図５に示す形状の車両１０の場合、車両１０が傾いていくと最外形部Ｒより傾斜時最外形部Ｒ１が外側に突出し、傾斜角度情報θが大きいほど最短距離情報が短くなる。しかしながら、車両１０の形状または障害物１１の傾斜状態によっては傾斜角度情報θが大きくなっても最短距離情報が短くならない場合がある。また、車両１０に１個の距離センサ（例えば、図５の距離センサ２３）しか設置されていない場合、障害物１１の高さは距離センサ２３のセンシング範囲までしか測定できないため、高さＨ１の障害物１１であれば正常に検知できるが、高さＨ２の障害物を検知できない。
【００２６】
そこで、実施の形態２では、３個の距離センサ２１〜２３を車両１０の後部に高さ方向に並べて設置する。距離センサ２１が測定する障害物１１までの距離情報をｘ２１、距離センサ２２が測定する障害物１１までの距離情報をｘ２２、距離センサ２３が測定する障害物１１までの距離情報をｘ２３とする。また、車両ＥＣＵ４の設置位置情報記憶部４ｂには、距離センサ２１〜２３それぞれについての設置位置情報（距離ｙ，ｚなど）を記憶させておく。
なお、複数の距離センサのうちの１個を車両１０の最外形部Ｒに設置して、車両１０が水平のとき最外形部Ｒから障害物１１までの最短距離情報を正確に測定できるようにするとよい。
【００２７】
最短距離算出部２０は、距離センサ２１〜２３が障害物１１までの距離情報ｘ２１〜ｘ２３を測定できたか否かの組み合わせに応じて、障害物１１に一番近い距離センサを選択する。そして、最短距離算出部２０は、選択した距離センサが測定した距離情報と、傾斜センサ３が計測した傾斜角度情報θと、車両ＥＣＵ４が記憶している車両形状情報とに基づいて、車両１０から障害物１１までの最短距離情報を算出する。
【００２８】
図６に、θ＞αの場合（図５に示す状態）の、距離センサ２１〜２３の測定／非測定結果と最短距離情報との対応関係を示す。例えば、凹凸形状の障害物１１であって、距離センサ２３のセンシング範囲に障害物１１が存在しこの障害物１１までの距離情報ｘ２３を測定でき、他の距離センサ２１，２２のセンシング範囲には障害物１１が存在せず距離情報ｘ２１，ｘ２２を測定できなかった場合（パターン＃２）、距離センサ２３の距離情報ｘ２３から求まる距離情報ｘ２３ｃｏｓθが最短距離情報になる。
また例えば、距離センサ２１のセンシング範囲に障害物１１が存在せず距離情報ｘ２１を測定できず、距離センサ２２，２３のセンシング範囲に障害物１１が存在しこの障害物１１までの距離情報ｘ２２，ｘ２３を測定できた場合（パターン＃４）、距離センサ２２，２３の設置位置の関係により距離センサ２３の距離情報ｘ２３ｃｏｓθが最短距離情報になる。
【００２９】
最短距離算出部２０は、算出した最短距離情報を障害物判定部６に出力する。
また、最短距離算出部２０は、距離センサ２１〜２３が測定した距離情報ｘ２１〜ｘ２３から距離情報ｘ２１ｃｏｓθ、ｘ２２ｃｏｓθ、ｘ２３ｃｏｓθを算出して、障害物傾斜判定部２４に出力する。
【００３０】
障害物傾斜判定部２４は、距離情報ｘ２１ｃｏｓθとｘ２２ｃｏｓθとの差がｙｓｉｎθと略等しい場合、または、距離情報ｘ２１ｃｏｓθとｘ２３ｃｏｓθとの差がｚｓｉｎθと略等しい場合に、障害物１１が斜面に傾斜角度情報θ傾いて設置されていると判定する。つまり、この場合は障害物１１が重力と垂直に設置されている。
距離情報ｘ２１ｃｏｓθとｘ２２ｃｏｓθとの差がｙｓｉｎθより短い場合、または、距離情報ｘ２１ｃｏｓθとｘ２３ｃｏｓθとの差がｚｓｉｎθより短い場合、障害物１１が斜面より傾斜角度情報θ以上に傾いて設置されていると判定する。反対に、距離情報ｘ２１ｃｏｓθとｘ２２ｃｏｓθとの差がｙｓｉｎθより長い場合、または、距離情報ｘ２１ｃｏｓθとｘ２３ｃｏｓθとの差がｚｓｉｎθより長い場合、障害物１１が斜面より傾斜角度情報θ以下に傾いて設置されていると判定する。ｙｓｉｎθとｚｓｉｎθは図３に示す。
【００３１】
閾値変更部２５は、上記実施の形態１の閾値変更部７と同様に、傾斜角度情報θに応じて閾値情報を変更する。さらに実施の形態２では、閾値変更部２５が、変更した閾値情報を障害物傾斜判定部２４が判定した障害物１１の傾斜角度情報に応じて補正する。障害物１１が車両１０の方向に向かって傾斜している場合には閾値情報を小さい値に補正し、障害物１１が車両１０と反対の方向に向かって傾斜している場合には閾値情報を大きい値に補正する。閾値変更部２５は、補正した閾値情報を障害物判定部６に通知する。
【００３２】
なお、実施の形態２では３個の距離センサ２１〜２３を使用した場合を説明したが、距離センサの数は任意でよい。
【００３３】
以上より、実施の形態２によれば、駐車支援装置は、車両１０の高さ方向に複数個設置された距離センサ２１〜２３を利用し、最短距離算出部２０は、傾斜センサ３が測定した傾斜角度情報θおよび車両ＥＣＵ４が記憶している距離センサ２１〜２３の設置位置情報に基づいて、距離センサ２１〜２３が測定した複数の距離情報ｘ２１〜ｘ２３の中から障害物１１に最も近い位置にある距離センサを選択し、選択した距離センサが測定した距離情報から車両１０と障害物１１との最短距離情報を算出する構成にした。これにより、車両１０の形状および傾斜だけでなく、障害物１１の高さも考慮して障害物１１までの距離情報を算出できる。よって、障害物の誤検知を防止可能となる。
【００３４】
また、実施の形態２によれば、駐車支援装置は障害物傾斜判定部２４を備え、この障害物傾斜判定部２４は、車両１０の高さ方向に複数個設置された距離センサ２１〜２３が測定した距離情報と、傾斜センサ３が測定した傾斜角度情報θと、車両ＥＣＵ４が記憶している距離センサ２１〜２３の設置位置情報に基づいて、障害物１１の傾斜状態を判定し、閾値変更部２５は、障害物傾斜判定部２４が判定した障害物１１の傾斜状態に応じて閾値情報を補正する構成にした。これにより、車両１０の形状および傾斜だけでなく、障害物１１の傾斜も考慮できるようになり、衝突可能性がある障害物をより正確に検知することが可能になる。
【００３５】
実施の形態３．
図７は、実施の形態３に係る駐車支援装置の構成を示すブロック図である。図８は、実施の形態３に係る駐車支援装置を搭載した車両１０の側面図である。図７および図８において、図１〜図６と同一または相当の部分については同一の符号を付し説明を省略する。
【００３６】
上記実施の形態２では、車両１０の高さ方向に複数個の距離センサ２１〜２３を設置していたが、本実施の形態３では、１個の距離センサ３１をセンサ角度変更部３２が駆動してそのセンシング方向を上下させることにより、距離センサ２１〜２３と同等の機能を果たす。センサ角度変更部３２はモータ等を用いて構成され、カーナビゲーションユニット２のセンサ角度制御部３３の指示に従って距離センサ３１のセンシング方向を角度範囲β内で上下させる。
なお、距離センサ３１のセンシング範囲を広くとるために、車両１０の最外形部Ｒに設置するとよい。
【００３７】
センサ角度制御部３３は、距離センサ３１の出力に基づいてセンサ角度変更部３２に指示を出し、距離センサ３１のセンシング方向を変更させる。距離センサ３１のセンシング範囲に障害物１１が存在せず、距離センサ３１からセンサ角度制御部３３に距離情報が出力されていない状態では、センサ角度制御部３３は距離センサ３１のセンシング方向を水平にしておく。距離センサ３１のセンシング範囲に障害物１１が入り、距離センサ３１が障害物１１までの距離情報を出力し始めると、センサ角度制御部３３がセンサ角度変更部３２に指示して距離センサ３１のセンシング方向を角度範囲β内で上下させる。また、センサ角度制御部３３は、距離センサ３１のセンシング方向を最短距離算出部３０に通知する。
【００３８】
最短距離算出部３０は、センサ角度制御部３３から通知される距離センサ３１のセンシング方向に基づいて、複数のセンシング方向で測定された複数の距離情報を取得する。例えば、距離センサ３１が角度範囲β内で最も下方向に向いたときの障害物１１までの距離情報をｘ３１、角度範囲βの中ほどの方向を向いたときの障害物１１までの距離情報をｘ３２、最も上方向に向いたときの障害物１１までの距離情報をｘ３３とする。
【００３９】
最短距離算出部３０は、上記実施の形態２の最短距離算出部２０と同様に、距離センサ３１が障害物１１までの距離情報ｘ３１〜ｘ３３を測定できたか否かの組み合わせ（例えば、図６に示した組み合わせ）に応じて、どのセンシング方向での距離情報を最短距離の算出に使用するか選択する。なお、図６の場合であれば、距離センサ２１の距離情報ｘ２１を図８の距離情報ｘ３１に読み替え、距離センサ２２の距離情報ｘ２２を図８の距離情報ｘ３２に読み替え、距離センサ２３の距離情報ｘ２３を図８の距離情報ｘ３３に読み替える。
【００４０】
そして、最短距離算出部３０は、選択した距離情報とそのセンシング方向、傾斜センサ３が計測した傾斜角度情報θ、および車両ＥＣＵ４が記憶している車両形状情報と設置位置情報に基づいて、車両１０から障害物１１までの最短距離情報を算出する。算出方法は上記実施の形態１，２と同様のため説明を省略する。例えば図８の傾斜角度情報θでは、距離情報ｘ３１、ｘ３２、ｘ３３が全て測定できるので、図６のパターン＃８に該当する。パターン＃８の場合、障害物１１の距離情報ｘ３３を測定した部分Ａが車両１０に一番近いことを意味する。よって、最短距離算出部３０は距離情報ｘ３３に基づいて車両１０と障害物１１の最短距離情報ｘｍｉｎを算出する。
【００４１】
以上より、実施の形態３によれば、駐車支援装置は、センシング方向を車両１０の高さ方向に変更可能に設置された距離センサ３１を利用し、最短距離算出部３０は、傾斜センサ３が測定した傾斜角度情報θ、車両形状情報、および距離センサ３１の設置位置情報に基づいて、距離センサ３１が複数のセンシング方向で測定した複数の距離情報ｘ３１〜ｘ３３の中から障害物１１の車両１０に一番近い部分を測定した距離情報を選択し、当該選択した距離情報を用いて車両１０から障害物１１までの最短距離情報を算出する構成にした。これにより、上記実施の形態２のように距離センサを車両１０の高さ方向に追加する必要がない。
【００４２】
なお、本願発明はその発明の範囲内において、各実施の形態の自由な組み合わせ、各実施の形態の任意の構成要素の変形、または各実施の形態の任意の構成要素の省略が可能である。
図示例では、駐車支援装置をカーナビゲーションユニットに組み込んだ構成にしたが、駐車支援装置として独立に構成してもよい。また、駐車支援装置が車両に搭載されている距離センサ、傾斜センサ、車両ＥＣＵおよび出力部を利用したが、これらを駐車支援装置が内蔵した構成であっても構わない。
【符号の説明】
【００４３】
１，２１〜２３，３１  距離センサ、２  カーナビゲーションユニット、３  傾斜センサ、４  車両ＥＣＵ、４ａ  車両形状記憶部、４ｂ  設置位置情報記憶部  ５，２０，３０  最短距離算出部、６  障害物判定部、７，２５  閾値変更部、８  出力制御部、９  出力部、１０  車両、１１  障害物、２４  障害物傾斜判定部、３２  センサ角度変更部、３３  センサ角度制御部。
【図１】
2015209183.tif 000003
【図２】
2015209183.tif 000004
【図３】
2015209183.tif 000005
【図４】
2015209183.tif 000006
【図５】
2015209183.tif 000007
【図６】
2015209183.tif 000008
【図７】
2015209183.tif 000009
【図８】
2015209183.tif 000010